(57)【要約】【課題】ＩＳＤＮデジタル回線の場合、送受信の信号が交互に伝送される為レベル計を装着しても端末側／局側などの一方だけでは、測定が出来ない。また、測定する手段としては、一定の正弦波の信号を一方から注入して、対向相手でレベルを測定する方法が取られていた。だが、測定はデジタルパルスの測定では無く簡易的な方法でしかなかった。【解決手段】デジタル回線に流れている、ＴＴＣ標準ＪＴ−Ｇ９６１に定義されるフレーム単位の同期信号を利用し受信波形測定タイミング／送信測定タイミングを作り出すことにより、デジタルパルス波形を測定することを可能にした。これにより、片側だけにレベル測定器を設置することで容易に、送受信レベルを測定することを可能としたレベル測定器。【選択図】図２
2009284369.tif 000002
【特許請求の範囲】
【請求項１】
送信・受信の信号が交互に繰り返しているＩＳＤＮ回線の伝送路の信号レベルを局装置側から、ある特定の周期で繰り返されることを利用して同期化することにより、送信及び受信の波形信号の測定可能なタイミングにて、受信／送信信号レベルを測定可能とした信号レベル測定装置。
【請求項２】
請求項１により、回線の局装置側または、端末装置の相手側に信号測定用に測定のための特定の信号を発生する機器を置かなくても、レベルを容易に測定することができることを特徴とするレベル測定器。
【請求項３】
既設置の端末がある場合には、端末装置内から取り出した、信号にて測定が可能にすることにより稼動中でも測定が可能としたレベル測定器。
【発明の詳細な説明】
【技術分野】
【０００１】
本発明は、ＩＳＤＮ回線など、デジタル基本インタフェースの伝送路であるＵ点（ＴＴＣ標準ＪＴ−Ｇ９６１）伝送路のアナログ信号レベル測定を行う信号レベル測定装置に関するものである。
【背景技術】
【０００２】
近年、データ通信回線は、音声帯域を利用していたモデムからデジタルインタフェースに切り替わり、データ通信速度も高速で安定したデジタル通信網を通信業者は、提供している。しかし、通信業者が提供する高速デジタル基本インタフェース回線は、局から端末までの伝送路を従来のアナログ電話に使用していたアナログ電話用の伝送路を使用している。
【０００３】
既アナログ通信の伝送路に比べ、相手側の伝送路／局以降の網間の減衰は考慮する必要はなくなったが、局から端末までの伝送路の減衰は、依然として発生している。さらに、従来の電話回線を使用している、デジタル基本インタフェースでは、デジタル回線化したことにより、音声帯域より高速な信号を送受信する必要があり、信号の減衰量はさらに増していた。また、旧ネットワークシステムでは、専用線など１対１でネットワークが構成されていることから回線網のテストを行うにも使用者側のみで１対１で端末間テストが可能であった。しかし、近年では、ＩＰ−ＶＰＮ等に示すように、１対Ｎ・Ｎ対Ｎ接続となり、使用者だけでは、回線のテストを行うには困難になってきた。さらに、伝送路の信号は、デジタル波形となり従来の信号レベル計（正弦波での計測器）では、端末側で測定することが困難になった。
【０００４】
デジタル回線の信号レベル測定装置としては、信号の変化点を検出して測定する方法が（特許文献１参照）が提案されている。
【０００５】
【特許文献１】特開平５-００８１４号公報
【発明の開示】
【発明が解決しようとする課題】
【０００６】
解決しようとする問題は、前記する、正弦波による信号レベルの測定では、デジタルパルスの伝送路のレベルを測定するには、簡易的な代替した測定方法であり、デジタルパルスの波形測定には、不向きであった。また、送信側、受信側にそれぞれ作業者を配備して行う必要があった。さらに、運用中に測定することは困難であった。
【０００７】
そこで、本発明は、前期のデジタルパルスの信号波形レベルを測定正確におこなうと
ともに、設置時、運用時を選ばないで、容易に信号レベル測定を行えるようにしたものである。
【課題を解決するための手段】
【０００８】
本発明は、デジタル基本インタフェース回線で決められている、周期的なフレーム同期式の同期検出信号を契機に、伝送路上のデジタルパルス信号波形を測定するタイミング発生回路と信号レベルを測定／表示する回路にて達成する。
【０００９】
本発明の第１の特徴は、ＴＴＣ標準ＪＴ−Ｇ９６１に準拠したデジタル基本インタフェース回線に常に局装置から送出されてくるフレームデータを受信し、同期化を行うことによりフレームタイミング信号を作り出す。この回路は、通常回線終端装置（ＤＳＵ）などで使用するＬＳＩにてデータの取り込みタイミングとして作り出され、容易に取り出して使用することができる。このフレームタイミング信号を利用し、これを契機に伝送路に流れている、デジタル信号の測定タイミングを作り出すことにより、送信／受信の信号レベルを測定することができる。
【００１０】
本発明の第二の特徴は、外部の端末装置側にこの、フレームタイミング信号を出力させることで、フレームタイミング信号をレベル測定器内に取り込ませ測定タイミングを作りださせることが出来る。この操作によって、端末装置のシステム運用中においても本発明のレベル測定器を設置することができ、端末装置システムの運用を止めることなく送信受信のレベルを容易に測定することができる。
【発明の効果】
【００１１】
本発明の効果として、従来の一定周波数での交流波形を使用した測定では、連続した正弦波の周波数特性測定することはできるが、デジタルパルスのような、伝送路のように周波数特性に影響しやすいパルス波形の測定をすることは困難であった、レベル測定方法を本発明では、一定の周期で送られてくるデジタルパルス波形を周期的に測定することができ、測定値を平均化することで安定したレベルの測定が可能となる。また、測定の手段によっては、最高／最低の波高値を測定することも可能となった。
【発明を実施するための最良の形態】
【００１２】
以下図１から４を参照して、本発明の一実施例を説明する。本実施形態は、ＩＳＤＮ端末システムなどデジタル基本インタフェース回線を使用した端末システムに採用されている。
【実施例１】
【００１３】
本発明の実施例１を以下、図面に従って本発明の実施例にについて、説明する。図１は、本実施例を示すシステム概略構成図である。図中、１は、デジタル回線網を示し、２の局装置、３の網を示す。端末装置４は、回線終端装置（ＤＳＵ）５を内部に構成する、回線終端装置（ＤＳＵ）５は、伝送路６にて回線網１と接続されている。本発明のレベル測定装置７は、接続ケーブル９にて、伝送路６に接続される。
【００１４】
図２は、レベル測定装置７の内部構成図で、端末装置４が接続されていないときの構成を示す。伝送路６には、ＴＴＣ標準ＪＴ−Ｇ９６１に準拠した図４の受信信号１７ａ／１７ｂ・・・のようにデジタル信号のフレームデータが返し入ってくる、伝送路６に接続された回線終端装置１０は、内部の受信同期回路１５にてフレームタイミング信号８が生成される。フレームタイミング信号８は切替回路１４を通してサンプリングタイムパルス発生回路１１に送られ、波形測定用のサンプリングタイムパルスを発生させる。サンプリングタイムパルス発生回路１１は、受信信号の波形測定ポイントならびに送信波形測定ポイントのタイミングを生成し、信号レベル測定回路１２にて、伝送路６の送受信の信号レベルをそれぞれ、内蔵するＡＤ変換機にてレベルの測定を行う。信号レベル測定回路１２は、ｎ回数（ＴＴＣ標準ＪＴ−Ｇ９６１では、３回以上フレームを検出すると同期と見なしている。従って、ｎ＝３以降とする）の測定を行い、値を最高値／最低値で記録し、その結果を送信／受信レベル表示装置１３にて値を外部に表示する。
【実施例２】
【００１５】
図３は、端末装置が接続されている場合の構成図で、端末装置４内の回線終端装置５は、伝送路６に接続されていて、レベル測定装置７内の回線終端装置１０と同様な動作を行う受信同期回路１６をもっていて、フレームタイミング信号８を生成する。レベル測定装置７には、フレームタイミング信号８が接続される。レベル測定装置７は、端末装置内４の回線終端装置５ら出力された、フレームタイミング信号８をレベル測定装置７の内部にある切替装置１４にて外部からのフレームタイミング信号８としてサンプリング発生回路１１に送られ、波形測定用のサンプリングタイムを発生させる。サンプリングタイム発生回路１１は、前記図２同様の動作にて、送受信信号のレベルを測定し、送信／受信レベル表示装置１３にて測定したレベルを外部に表示する。
【００１６】
図４は、伝送路を流れる送受信のタイミングを図示したもので、受信信号１７ａ／１７ｂ／送信信号１８ａ・１８ｂで、受信信号・送信信号は、ＴＴＣ標準ＪＴ−Ｇ９６１に示されるように、１フレーム２．５ｍｓ毎に繰り返し伝送されている。フレームタイミング信号１９は、回線終端装置１０内部の受信同期回路１５／回線終端装置５は受信同期回路１６で作成され、Ｔ＝２．５ｍｓ毎に発生する。１７受信信号の拡大２０で示すように、フレームタイミング信号１９は、サンプリングタイム発生回路１１にて、受信波形の場合Δｔ後のサンプリングタイムを作り出し、レベル測定装置７にて実施例１に記載した、同期確立後に信号レベルを測定することで、同期の確立し安定した、受信レベルの測定が可能になる。送信レベルは、ＴＴＣ標準ＪＴ−Ｇ９６１の仕様からフレームタイミング信号１９から約１．２ｍｓ+Δｔ後の時間にて測定をすることになる。
【産業上の利用可能性】
【００１７】
従来の回線レベル測定装置は、正弦波の信号波形を通して、対応相手同士で、測定を行う必要があり、デジタル回線の伝送波形のように、データパルスの波形は測定することは、出来なかった。
【００１８】
本発明によれば、ＴＴＣ標準ＪＴ−Ｇ９６１に準拠したデジタル回線であれば、同期するフレーム構成にて送受信デジタルパルスの波形の測定が可能となる。また、装置の構成は簡単で、回線設置時、保守時、運用中にも関わらず、測定が可能です。さらに、測定する必要な場所に設置するだけで可能であり局内に対向相手を置く必要がなくなるなど、測定器として優れた機能である。
【００１９】
本発明の活用例として、デジタル回線設置時の確認，回線障害発生時等で現地の端末側に出向き端末が接続されている回線に直接接続することで、送受信のフレームの状況／送受信信号レベル等が容易に測定、確認することができる。
【図面の簡単な説明】
【００２０】
【図１】デジタル回線のシステム概略構成図。
【図２】端末が接続されていないときのレベル測定装置構成。
【図３】端末が接続されているときのレベル測定装置構成。
【図４】伝送路を流れる送受信のタイミング。
【符号の説明】
【００２１】
１…デジタル回線網、２…局装置、３…網、４…端末装置、５…回線終端装置（ＤＳＵ）、６…伝送路、７…レベル測定装置、８…フレームタイミング、９…接続ケーブル、１０…レベル測定器内回線終端装置（ＤＳＵ）、１１…サンプリングタイム発生回路、１２…信号レベル測定回路、１３…送信／受信レベル表示装置、１４…切替回路、１５…レベル測定器内受信同期回路、１６…端末装置内受信同期回路、１７ａ／１７ｂ…受信信号、１８ａ／１８ｂ…送信信号、１９…フレームタイミング信号、２０…１７受信信号の拡大。
【図１】
2009284369.tif 000003
【図２】
2009284369.tif 000004
【図３】
2009284369.tif 000005
【図４】
2009284369.tif 000006